Podtech/llm-jp-corpus-v4-ja_patent huggingface dataset:
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
呼吸可能なガスを患者に届ける呼吸用マスクアセンブリであって、
本体と、前記本体から伸びている内壁及び外壁とを有するフレームであって、前記内壁及び前記外壁は、相対距離を与える異なる長さを有し、前記内壁および前記外壁はそれらの間に、チャネルを規定するように離れて配置されていて、前記内壁は、前記チャネルに突出する少なくとも１つの突起を有する、フレームと、
前記フレームに取り外し可能に取り付けられることができる少なくとも１つのシリコーンクッションであって、前記フレームの前記チャネルに挿入され、前記フレームの前記内壁及び前記外壁の間に保持される変形可能な側壁を有する、少なくとも１つのシリコーンクッションとを備え、
前記変形可能な側壁は、前記内壁及び前記外壁と摩擦性接触し、前記チャネルの形状に適合する形状を有し、
前記チャネルの前記内壁に設けられた前記少なくとも１つの突起は、前記側壁が前記チャネルに挿入されたときに、前記側壁が、前記少なくとも１つの突起に係合する前に前記内壁及び前記外壁に係合するように位置し、
前記少なくとも１つの突起は、前記側壁に係合したときに、前記側壁を変形または圧縮し、
前記チャネルの形状は、付加的なガイド片を必要とせずに、前記シリコーンクッションの向きを補正するガイドを提供するように構成される、
呼吸用マスクアセンブリ。
【請求項２】
前記フレームと前記少なくとも１つのシリコーンクッションは、前記患者の鼻と口を覆うように構成されることを特徴とする請求項１に記載の呼吸用マスクアセンブリ。
【請求項３】
前記チャネルの幅は、約２〜１０ｍｍであることを特徴とする請求項１または２に記載の呼吸用マスクアセンブリ。
【請求項４】
密閉膜は、前記側壁の上端から内側に湾曲していることを特徴とする請求項１から３のいずれか一項に記載の呼吸用マスクアセンブリ。
【請求項５】
前記側壁及び前記側壁の端部は、前記少なくとも１つのシリコーンクッションと前記フレームが互いに係合するときにかかる座屈力に耐えることができる厚さを有していることを特徴とする請求項４に記載の呼吸用マスクアセンブリ。
【請求項６】
前記密閉膜は、０．１〜２．０ｍｍの厚さを有し、前記側壁は、２〜１０ｍｍの厚さを有していることを特徴とする請求項４または５に記載の呼吸用マスクアセンブリ。
【請求項７】
前記密閉膜は、０．３５ｍｍの厚さを有していることを特徴とする請求項６に記載の呼吸用マスクアセンブリ。
【請求項８】
前記チャネルは、前記チャネル内で前記少なくとも１つのシリコーンクッションの最大挿入深さを規定する肩または棚を有することを特徴とする請求項１から７のいずれか一項に記載の呼吸用マスクアセンブリ。
【請求項９】
前記少なくとも１つのシリコーンクッションの前記側壁の外側表面に設けられる単一の密閉リップをさらに備え、前記少なくとも１つの突起は、前記フレームのチャネルの前記内壁にのみに設けられることを特徴とする請求項１から８のいずれか一項に記載の呼吸用マスクアセンブリ。
【請求項１０】
前記少なくとも１つのシリコーンクッションと前記フレームは、前記少なくとも１つのシリコーンクッションと前記フレームが初期係合において適切な位置に着いたときのみに整合する複数の位置合わせ用標識を含むことを特徴とする請求項１から９のいずれか一項に記載の呼吸用マスクアセンブリ。
【請求項１１】
前記相対距離は、０．５〜１０ｍｍの範囲であることを特徴とする請求項１から１０のいずれか一項に記載の呼吸用マスクアセンブリ。
【請求項１２】
前記内壁及び／又は前記外壁は、前記少なくとも１つのシリコーンクッションと前記フレームとの取り付けを容易にするテーパを有することを特徴とする請求項１から１１のいずれか一項に記載の呼吸用マスクアセンブリ。
【請求項１３】
前記フレームに接続されるエルボーを更に備える請求項１から１２のいずれか一項に記載の呼吸用マスクアセンブリ。
【請求項１４】
前記エルボーは、吸気ポートと、略平面状の構成を有するバッフルによって前記吸気ポートから隔てられた、複数のガス流出ポートに連結した排気ポートとを規定することを特徴とする請求項１３に記載の呼吸用マスクアセンブリ。
【請求項１５】
前記エルボーは、前記少なくとも１つのシリコーンクッション及び前記フレームによって規定される呼吸用空洞の内側部に触れることなく、前記フレームから取り外せることを特徴とする請求項１３または１４に記載の呼吸用マスクアセンブリ。
【請求項１６】
前記フレームに接続されるヘッドギアをさらに備えることを特徴とする請求項１から１５のいずれか一項に記載の呼吸用マスクアセンブリ。
【請求項１７】
前記少なくとも１つのシリコーンクッションは、フレーム接触側と患者接触側とを有し、前記フレーム接触側は、第１の開口を有する前記側壁を含み、前記患者接触側は、第２の開口を有し、前記第１の開口は、前記第２の開口より大きいことを特徴とする請求項１から１６のいずれか一項に記載の呼吸用マスクアセンブリ。
【請求項１８】
前記フレームには、複数のクッションのそれぞれが繰り返し取り付け可能かつ取り外し可能であるように接続可能であり、前記複数のクッションは異なるサイズを有することを特徴とする請求項１から１７のいずれか一項に記載の呼吸用マスクアセンブリ。
【請求項１９】
前記側壁は、前記側壁の端部または近郊に位置する少なくとも１つの密閉リップを有し、前記密閉リップは、前記側壁の外側表面から外側に伸び、前記側壁の周囲を通っていることによって、前記フレームの前記外壁との密閉接続を形成することを特徴とする請求項１に記載の呼吸用マスクアセンブリ。
【手続補正書】
【提出日】平成25年6月10日(2013.6.10)
【手続補正１】
【補正対象書類名】明細書
【補正対象項目名】０００１
【補正方法】変更
【補正の内容】
【０００１】
この発明は、始動口への入賞を契機として当落抽選を行い、この当落抽選の結果に応じて特別遊技が付与される遊技機に関する。
【手続補正２】
【補正対象書類名】明細書
【補正対象項目名】０００２
【補正方法】変更
【補正の内容】
【０００２】
従来、遊技機として、遊技球が始動入賞口に入賞したことにもとづいて表示器にて図柄の変動表示を行って所定期間経過後に表示器に図柄を停止表示させ、表示器に停止表示される図柄が特定の表示態様となったときに大当り遊技状態に制御することにより遊技者に利益を付与するものがあった。また、この種の遊技機では、表示器にてリーチ態様が形成された場合、当該リーチ態様を形成してから図柄を停止表示するまでの期間に、大当り期待度の度合いを告知するリーチ演出（例えば、ノーマルリーチ演出やスーパーリーチ演出）を随時、実行するものがある。ここで、リーチ態様とは、表示器におけるいずれかの表示ラインにて所定数の図柄が停止表示され、当該表示ラインにおける全ての図柄が停止していない状態であって、未だ停止していない図柄が所定の図柄で停止することにより当該表示ラインに停止表示される図柄が特定の表示態様となる状態をいう。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００４−２０２１１０号公報
【特許文献２】特開２００６−５１０９７号公報
【手続補正５】
【補正対象書類名】明細書
【補正対象項目名】０００５
【補正方法】変更
【補正の内容】
【０００５】
従来の遊技機では、リーチ演出が特定の表示態様の導出に関連して実行されており、演出時間の経過に伴ってリーチ演出が順次展開されるほど、遊技者は大当り遊技状態に対する期待感を高めることができる。すなわち、大当り遊技状態に制御される場合には、長い演出時間（図柄を停止表示するまでの期間）に対応したリーチ演出が展開される割合が高い一方で、大当り遊技状態に制御されない場合には、リーチ態様が形成されたとしても、短い演出時間に対応したリーチ演出が展開される割合が高い。
しかしながら、長い演出時間に対応したリーチ演出が展開されたとしても、大当り遊技状態に制御する設定確率が然程高くないことから、結果として特定の表示態様が導出されないことも多い。そして、長い演出時間に対応したリーチ演出が展開されたにも関わらず、結果として特定の表示態様が導出されないと、大当り遊技状態に対する期待感が高められた分だけ遊技者の落胆も大きくなってしまう。このため、遊技者がリーチ演出に対する興味を失い、遊技が単調となり、遊技の興趣が低下してしまうことがあった。
【手続補正６】
【補正対象書類名】明細書
【補正対象項目名】０００６
【補正方法】変更
【補正の内容】
【０００６】
本発明は、上記した事情に鑑みなされたもので、その目的とするところは、遊技者が当
り遊技状態に対する期待感を減退させることのない演出を実行し、遊技の興趣の低下を抑
制することのできる遊技機を提供することにある。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設される始動口と、所定の条件が成立したことに基づいて複数種類の当選種が含まれる当落についての抽選処理を行う当落抽選手段と、前記遊技領域にて所定の駆動態様で開閉動作する開閉部材と、前記開閉部材による開閉動作を通じて前記遊技領域にて開放される大入賞口と、を備え、前記当落抽選手段による当落についての抽選結果が遊技者にとって有利となる特別遊技の実行契機となる当りであるとき、前記開閉部材による開閉動作を通じた前記大入賞口の開放によって前記特別遊技を行う遊技機であって、
前記複数種類の当選種が含まれる当落に対応付けされた複数種類の演出を記憶する演出記憶手段と、
前記当落抽選手段による当落についての抽選結果に対応する演出を前記演出記憶手段から読み出し、所定の演出表示手段にて該読み出された演出を表示制御する演出表示制御手段と、
特定の条件が成立するか否かを判定する特定条件判定手段と、
所定の表示部に表示される特別図柄を所定の時間だけ変動表示制御する変動表示制御手段と、
前記当落抽選手段による当落についての抽選結果に基づいて、前記特別図柄の変動表示停止時における表示態様を決定する停止時表示態様決定手段とをさらに備え、
前記演出表示制御手段は、
前記当落抽選手段による当落についての抽選結果が前記特別遊技の実行契機となる当りであるとき、前記特別遊技の実行契機となる当りであるか否かを通知する特別遊技演出を表示制御し、当該特別遊技の実行契機となる当りである旨を通知する特別遊技演出表示制御手段とを含み、
前記特別遊技演出表示制御手段は、
前記当落抽選手段による当落についての抽選結果が前記特別遊技の実行契機となる当りであるとき、前記特別遊技演出にて当該特別遊技の実行契機となる当選種を各々経時的に通知する順次演出を表示制御する順次演出表示制御手段を含む
ことを特徴とする遊技機。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
ヒト若しくは動物の対象の目への、インビボでのペプチド若しくは核酸タイプの巨大分子の浸透を改善するエレクトロポレーションデバイスであって、
エレクトロポレーションに適合された電気パルス発生装置と、
前記電気パルス発生装置の第１の端子に電気的に接続された少なくとも１つの侵襲電極から構成され、前記侵襲電極の目に侵入する上部が電気絶縁材料によって被覆された第１の電極群と、
前記電気パルス発生装置の第２の端子に電気的に接続された非侵襲電極から構成され、前記非侵襲電極が、剛性又は可撓性で、扁平であり、又は標的とする目の表面の形状に従うように、且つ前記表面と電気的に接触するようにわずかに湾曲し、電気パルスの供給の瞬間に目と電気的に接触する前記非侵襲電極の表面が、円、半円、円弧、又は馬蹄の形態である第２の電極群と、
前記巨大分子を目に注入する手段と
を備え、
前記非侵襲電極が前記侵襲電極と一体型である、又は前記侵襲電極が目に侵入しなければならない場所の精密な位置決めをすること及び前記侵襲電極の軸を目の表面に応じて傾斜した所定の方向に向けることを可能にする案内装置を備える、デバイス。
【請求項２】
非侵襲電極の表面が占める平面にほぼ平行な平面の一部を成す軸に沿って延伸する複数の侵襲電極を備える請求項１に記載のデバイス。
【請求項３】
少なくとも１つの侵襲電極が、注入針である請求項１又は２に記載のデバイス。
【請求項４】
針を含み、前記針、侵襲電極、及び非侵襲電極が、一体化され、剛性又はわずかに可撓性の支持具によってクランプ固定され、前記針及び侵襲電極が平行である請求項１〜３のいずれかに記載のデバイス。
【請求項５】
平行で、一体化されており、かつ、デバイスの良好な握持を可能にし、前記電極をそれらそれぞれの発生装置端子に接続できるようにするケーシングの助けによって固定された複数の侵襲電極を備える請求項１〜４のいずれかに記載のデバイス。
【請求項６】
第１の電極群の少なくとも１つの侵襲電極が、非侵襲電極を通過することなく目に押し込まれるように構成される請求項１〜５のいずれかに記載のデバイス。
【請求項７】
電極を発生装置に接続できるようにし、電極を備えたデバイスの容易に操作可能な握持を可能にし、オペレータを電流から絶縁し、巨大分子を注入する手段と前記巨大分子を含有するリザーバとを一体化することができるケーシングを備える請求項１〜６のいずれかに記載のデバイス。
【請求項８】
一体型で、支持具を用いて組み立てられ、ほぼ平行で、ほぼ同じ深度である２つの侵襲電極を備える請求項１〜７のいずれかに記載のデバイス。
【請求項９】
案内装置が、侵襲電極が目に侵入しなければならない場所及び／又は侵襲電極の軸の侵入角度の精密な位置決めを可能にすることができる請求項１〜８のいずれかに記載のデバイス。
【請求項１０】
第１の電極群が単一の電極から構成される請求項１〜９のいずれかに記載のデバイス。
【請求項１１】
侵襲電極を所定の深度まで目に押し込むことを可能にする停止具を備える請求項１〜１０のいずれかに記載のデバイス。
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板を結ぶ連結軸で支承することにより該中間点を支点として揺動自在としたバックルにおいて、
前記操作板の上部を水平方向に移動可能なスライド片が前記バックル本体に設置され、前記スライド片を前記押圧部側に移動した状態において、前記スライド片の下面が前記押圧部の上面に当接することを特徴とするバックル。
【請求項２】
前記連結軸の内部に金属片を入れることにより前記連結軸の強度を強く保つことを特徴とする請求項１記載のバックル。  
【請求項３】
前記スライド片の移動をガイドするためのスライド溝を前記バックルの両側板に設けたことを特徴とする請求項１または２記載のバックル。    
【請求項４】
前記スライド片上に掛止突起を設けたことを特徴とする請求項１〜３のいずれかに記載のバックル。
【請求項５】
前記係合爪と前記係合溝の係止状態において、前記バンドを前記バックルから分離する方向に強い力が作用した時に前記操作板の他端部と前記天井枠が突き合わせ状態となることを特徴とする請求項１〜４のいずれかに記載のバックル。
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
バリアコーティングを有するプラスチック容器の製造方法であって、ａ）  第一のポリビニルアセタールの少なくとも１つのコーティング層を、プラスチック容器の少なくとも一部の上に適用する段階；  ｂ）  ポリビニルアルコールの少なくとも１つのコーティング層を、該第一のポリビニルアセタール層上に適用する段階；  ｃ）  第二のポリビニルアセタールの少なくとも１つのトップコーティング層を、該ポリビニルアルコール層上に適用する段階を含む方法。
【請求項２】
段階ａ）の前に、プラスチック容器を化学的な粗面化、フッ素酸化、コロナ、電子ビーム、またはフレーム処理によって前処理することを特徴とする、請求項１に記載の方法。
【請求項３】
プラスチック容器の表面エネルギーが、前記前処理によって少なくとも１０％だけ高められることを特徴とする、請求項１または２に記載の方法。
【請求項４】
バリアコーティングを、プラスチック容器の外側の少なくとも一部の上に適用することを特徴とする、請求項１から３までのいずれか１項に記載の方法。
【請求項５】
バリアコーティングを、プラスチック容器の内側の少なくとも一部の上に適用することを特徴とする、請求項１から３までのいずれか１項に記載の方法。
【請求項６】
バリアコーティングを、プラスチック容器の内側の少なくとも一部および外側の少なくとも一部の上に適用することを特徴とする、請求項１から３までのいずれか１項に記載の方法。
【請求項７】
段階ｄ）によって、プラスチック容器の内側の表面の少なくとも一部の表面エネルギーが、少なくとも１つの内部の親水性のコーティング層を容器の内側に適用することによって高められ、その内部のコーティング層が植物性脂肪またはオイル、グリセリンエステル、ポリビニルアルコール、および／またはポリビニルアセタールを含むことを特徴とする、請求項１から６までのいずれか１項に記載の方法。
【請求項８】
段階ａ）、ｂ）およびｃ）および随意にｄ）に引き続き、プラスチック容器をブロー成形法において成形することを特徴とする、請求項１から７までのいずれか１項に記載の方法。
【請求項９】
ポリビニルアルコールのコーティング層を、水溶液として適用し、且つ、１０〜９０℃で乾燥させることを特徴とする、請求項１から８までのいずれか１項に記載の方法。
【請求項１０】
第一および第二のポリビニルアセタールが、ポリビニルブチラール、ポリビニルアセチル−ｃｏ−ブチラール、および架橋ポリビニルブチラールからなる群から選択されることを特徴とする、請求項１から９までのいずれか１項に記載の方法。
【請求項１１】
プラスチック容器が、段階ａ）、ｂ）およびｃ）によってまず外側上を被覆され、その後、ブロー成形法において成形されることを特徴とする、請求項１から１０までのいずれか１項に記載の方法。
【請求項１２】
プラスチック容器が、ブロー成形法における成形後、段階ｄ）によって、内側上を被覆されることを特徴とする、請求項１１に記載の方法。
【請求項１３】
プラスチック容器が、ブロー成形法における成形前に、段階ｄ）によって、内側上を被覆されることを特徴とする、請求項１１に記載の方法。
【請求項１４】
プリフォームの成形を、延伸ブローまたは射出延伸ブロー成形によって行うことを特徴とする、請求項１１から１３までのいずれか１項に記載の方法。
【手続補正書】
【提出日】平成25年10月23日(2013.10.23)
【手続補正１】
【補正対象書類名】明細書
【補正対象項目名】０００７
【補正方法】変更
【補正の内容】
【０００７】
前記目的を達成するために、本発明は、乗りかごの出入り口を開閉する引き戸式のかごドア、及び乗場の出入り口を開閉する引き戸式の乗場ドアと、前記かごドアを駆動する駆動手段と、前記乗場ドアを閉鎖状態にロックするドアロック手段と、前記乗りかごが前記乗場に着床する状態で、前記かごドアの動作で前記かごドアと前記乗場ドアとを係合させ、この係合により前記かごドアの駆動力を前記乗場ドアに伝達し、かつこの係合の解除に応じて前記ドアロック手段を作動させる係合手段とを備え、前記かごドアと前記乗場ドアとが連動して戸閉方向に移動する際には、前記乗場ドアの戸当り側の先端縁が前記かごドアの戸当り側の先端縁より先行するように配置されているドア装置において、前記係合手段は、前記かごドアの戸当り側に位置する固定ベーンと、この固定ベーンと平行を保って前記かごドアの戸袋側にリンク機構を介して固定される可動ベーンと、前記固定ベーンと前記可動ベーンの距離を可変するよう可動ベーンを固定ベーンから離れる方向に付勢する弾性体と、この弾性体の付勢力に打ち勝ち可動ベーンを固定ベーン側に変位させる動力体と、この動力体の駆動力を前記リンク機構を介して可動ベーンへ伝達する駆動ベルトとから成る可動ベーン開閉機構とを備え、かつ、前記可動ベーン開閉機構は、電気的なドア位置情報に基づき前記可動ベーンの動作を制御することを特徴としている。
【手続補正２】
【補正対象書類名】明細書
【補正対象項目名】００１３
【補正方法】変更
【補正の内容】
【００１３】
さらに、本発明は、建屋に設けられる昇降路を昇降する乗りかご及びつり合いおもり、これらの乗りかご及びつり合いおもりを吊持するロープと、このロープが巻き掛けられるシーブを有し、前記ロープを駆動して前記乗りかご及びつり合いおもりを昇降させる巻上機と、前記乗りかごの出入り口を開閉する引き戸式のかごドア、及び乗場の出入り口を開閉する引き戸式の乗場ドアと、前記かごドアを駆動する駆動手段と、前記乗場ドアを閉鎖状態にロックするドアロック手段と、前記乗りかごが前記乗場に着床する状態で、前記かごドアの動作で前記かごドアと前記乗場ドアとを係合させ、この係合により前記かごドアの駆動力を前記乗場ドアに伝達し、かつこの係合の解除に応じて前記ドアロック手段を作動させる係合手段とを備え、前記かごドアと前記乗場ドアとが連動して戸閉方向に移動する際には、前記乗場
ドアの戸当り側の先端縁が前記かごドアの戸当り側の先端縁より先行するように配置されているエレベーター装置において、前記係合手段は、前記かごドアの戸当り側に位置する固定ベーンと、この固定ベーンと平行を保って前記かごドアの戸袋側にリンク機構を介して固定される可動ベーンと、前記固定ベーンと前記可動ベーンの距離を可変するよう可動ベーンを固定ベーンから離れる方向に付勢する弾性体と、この弾性体の付勢力に打ち勝ち可動ベーンを固定ベーン側に変位させる動力体と、この動力体の駆動力を前記リンク機構を介して可動ベーンへ伝達する駆動ベルトとから成る可動ベーン開閉機構とを備え、かつ前記可動ベーン開閉機構は、電気的なドア位置情報に基づき前記可動ベーンの動作を制御することを特徴としている。
【手続補正３】
【補正対象書類名】特許請求の範囲
【補正対象項目名】全文
【補正方法】変更
【補正の内容】
【特許請求の範囲】
【請求項１】
乗りかごの出入り口を開閉する引き戸式のかごドア、及び乗場の出入り口を開閉する引き戸式の乗場ドアと、前記かごドアを駆動する駆動手段と、前記乗場ドアを閉鎖状態にロックするドアロック手段と、前記乗りかごが前記乗場に着床する状態で、前記かごドアの動作で前記かごドアと前記乗場ドアとを係合させ、この係合により前記かごドアの駆動力を前記乗場ドアに伝達し、かつこの係合の解除に応じて前記ドアロック手段を作動させる係合手段とを備え、前記かごドアと前記乗場ドアとが連動して戸閉方向に移動する際には、前記乗場ドアの戸当り側の先端縁が前記かごドアの戸当り側の先端縁より先行するように配置されているドア装置において、
前記係合手段は、前記かごドアの戸当り側に位置する固定ベーンと、この固定ベーンと平行を保って前記かごドアの戸袋側にリンク機構を介して固定される可動ベーンと、前記固定ベーンと前記可動ベーンの距離を可変するよう可動ベーンを固定ベーンから離れる方向に付勢する弾性体と、この弾性体の付勢力に打ち勝ち可動ベーンを固定ベーン側に変位させる動力体と、この動力体の駆動力を前記リンク機構を介して可動ベーンへ伝達する駆動ベルトとから成る可動ベーン開閉機構とを備え、かつ、前記可動ベーン開閉機構は、電気的なドア位置情報に基づき前記可動ベーンの動作を制御することを特徴としたドア装置。
【請求項２】
前記ドア位置情報は、前記乗場ドアの閉端位置を検出する閉端ドアスイッチの出力信号から成ることを特徴とする請求項１記載のドア装置。
【請求項３】
前記可動ベーン開閉機構は、常時、前記可動ベーンを前記固定ベーンから離れる方向に付勢する弾性体と、この弾性体の付勢力に打ち勝ち前記可動ベーンを前記固定ベーン側に変位する動力体とを有することを特徴とする請求項１記載のドア装置。
【請求項４】
建屋に設けられる昇降路を昇降する乗りかご及びつり合いおもり、これらの乗りかご及びつり合いおもりを吊持するロープと、このロープが巻き掛けられるシーブを有し、前記ロープを駆動して前記乗りかご及びつり合いおもりを昇降させる巻上機と、前記乗りかごの出入り口を開閉する引き戸式のかごドア、及び乗場の出入り口を開閉する引き戸式の乗場ドアと、前記かごドアを駆動する駆動手段と、前記乗場ドアを閉鎖状態にロックするドアロック手段と、前記乗りかごが前記乗場に着床する状態で、前記かごドアの動作で前記かごドアと前記乗場ドアとを係合させ、この係合により前記かごドアの駆動力を前記乗場ドアに伝達し、かつこの係合の解除に応じて前記ドアロック手段を作動させる係合手段とを備え、前記かごドアと前記乗場ドアとが連動して戸閉方向に移動する際には、前記乗場ドアの戸当り側の先端縁が前記かごドアの戸当り側の先端縁より先行するように配置されているエレベーター装置において、
前記係合手段は、前記かごドアの戸当り側に位置する固定ベーンと、この固定ベーンと平行を保って前記かごドアの戸袋側にリンク機構を介して固定される可動ベーンと、前記固定ベーンと前記可動ベーンの距離を可変するよう可動ベーンを固定ベーンから離れる方向に付勢する弾性体と、この弾性体の付勢力に打ち勝ち可動ベーンを固定ベーン側に変位させる動力体と、この動力体の駆動力を前記リンク機構を介して可動ベーンへ伝達する駆動ベルトとから成る可動ベーン開閉機構とを備え、かつ前記可動ベーン開閉機構は、電気的なドア位置情報に基づき前記可動ベーンの動作を制御することを特徴としたエレベーター装置。
【請求項５】
前記前記ドア位置情報は、前記乗場ドアの閉端位置を検出する閉端ドアスイッチの出力信号から成ることを特徴とする請求項４記載のエレベーター装置。
【請求項６】
前記可動ベーン開閉機構は、常時、前記可動ベーンを前記固定ベーンから離れる方向に付勢する弾性体と、この弾性体の付勢力に打ち勝ち前記可動ベーンを前記固定ベーン側に変位する動力体とを有することを特徴とする請求項４記載のエレベーター装置。
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行う遊技機であって、
前記遊技の進行を統合制御する主制御装置と、
前記遊技中に視聴覚的な演出を行うための演出装置と、
所定の条件下で、前記遊技媒体を遊技者に払い出す払出装置と、
前記主制御装置からの指示情報に従って、前記演出および払出しの少なくとも一方を制御する下位制御装置とを有し、
前記主制御装置は、
前記統合制御を実行するためのＣＰＵと、
前記ＣＰＵが実行する制御プログラムを格納するためのメモリとしてのＲＯＭと、
前記統合制御に用いられる種々の情報を格納するためのメモリとしてのＲＡＭと、
前記統合制御において、前記主制御装置と前記下位制御装置を含む外部との間で信号を入出力するための入出力ポートとを有し、
前記ＣＰＵは、メモリへのアクセスに使用されるコマンドであって２バイト以上のアドレス値を含むコマンド体系を有するメモリアクセスコマンドと、外部との信号の入出力に使用されるコマンドであって入出力先を指定するためのアドレス値が前記メモリアクセスコマンドよりも１バイト以上少ないコマンド体系を有する入出力ポートアクセスコマンドとを使用可能であり、
前記入出力ポートアクセスコマンドで指定されるアドレス値に基づいて、アクセス先を前記ＲＡＭおよび入出力ポートに切り換え、前記ＲＡＭおよび入出力ポートのいずれかをアクティブにするセレクタ信号を出力するエリア区分判定部と、
前記メモリアクセスコマンドで指定されるアドレス値の上位所定桁に基づいて、アクセス先となる前記ＲＯＭおよびＲＡＭのいずれかをアクティブにするためのメモリセレクト信号を出力するメモリエリアデコード部とを有し、
前記入出力ポートアクセスコマンドに応じて稼働すべき対象を指定する入出力ポートリクエスト信号は、前記ＣＰＵから前記エリア区分判定部に入力されており、
前記メモリアクセスコマンドに応じて稼働すべき対象を指定するメモリリクエスト信号は、前記ＣＰＵから前記メモリエリアデコード部に入力されており、
前記ＲＡＭは、そのＲＡＭ領域として、
前記ＲＡＭ領域の先頭アドレスから、前記ＣＰＵが制御処理を実行する際に前記制御処理間で受け渡すべき情報及び前記制御処理を繰り返し実行する際に次回まで保持しておくべき情報を格納するためのワーク領域を確保するとともに、
前記ＲＡＭ領域の終端アドレスから、前記ＣＰＵが前記制御プログラムを実行する上で一時的に記憶すべき情報を記憶するためのスタック領域を確保する一方、
前記入出力ポートアクセスコマンドを用いてアクセス可能な領域としての擬似ＲＡＭ領域を、前記ＲＡＭ領域の先頭アドレスから、前記ワーク領域と同等以上のサイズで、かつ、前記スタック領域と重複しないように確保し、
前記ＣＰＵは、前記ＲＯＭに格納されている制御プログラムに従って、
前記ＲＡＭの２バイト以上の所定の連続領域を初期状態に設定すべきＲＡＭクリア条件の成否を判定する判定処理と、
前記ＲＡＭクリア条件が成立する時には、前記入出力ポートアクセスコマンドでアクセス可能な領域を含む前記連続領域に前記メモリアクセスコマンドを用いて所定の初期化値を書き込むＲＡＭクリア処理とを行う
遊技機。
【請求項２】
請求項１記載の遊技機であって、
前記統合制御には、
所定のタイミングで、所定の大当たり判定乱数に基づいて大当たりか否かを判定する抽選処理と、
前記抽選処理によって大当たりと判定された場合には、その他の場合に比較して、前記遊技媒体の払い出しを受けやすい遊技状態を実現する大当たり制御処理とが含まれ、
前記初期化値は、前記大当たりとなる時の大当たり判定乱数の値を避けて設定された値である遊技機。
【請求項３】
請求項１または２記載の遊技機であって、
前記ＲＡＭの領域には、前記統合制御において使用が予定されていない未使用領域が含まれており、
前記未使用領域は、前記ＲＡＭクリア処理の対象外とされている遊技機。
【請求項４】
請求項３記載の遊技機であって、
前記ＲＡＭの先頭アドレスから連続する所定範囲は、前記ＣＰＵが前記ＲＯＭに格納されている制御プログラムに基づく制御処理を実行する際に使用する情報を格納しておくためのワーク領域に割り当てられており、
前記ＲＡＭクリア処理は、前記ワーク領域を対象として行われる遊技機。
【請求項５】
請求項１〜４いずれか記載の遊技機であって、
前記ＣＰＵは、前記ＲＡＭクリア処理を、サブルーチンによらずに、前記判定処理と同一の処理内で行う遊技機。
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行う遊技機であって、
前記遊技の進行を統合制御する主制御装置と、
前記遊技中に視聴覚的な演出を行うための演出装置と、
所定の条件下で、前記遊技媒体を遊技者に払い出す払出装置と、
前記主制御装置からの指示情報に従って、前記演出および払出しの少なくとも一方を制御する下位制御装置とを有し、
前記主制御装置は、
前記統合制御を実行するためのＣＰＵと、
前記ＣＰＵが実行するプログラムを格納するためのメモリとしてのＲＯＭと、
前記統合制御に用いられる種々の情報を格納するためのメモリとしてのＲＡＭと、
前記統合制御において、前記主制御装置と前記下位制御装置を含む外部との間で信号を入出力するための入出力ポートとを有し、
前記ＣＰＵは、メモリへのアクセスに使用されるコマンドであって２バイト以上のアドレス値を含むコマンド体系を有するメモリアクセスコマンドと、外部との信号の入出力に使用されるコマンドであって入出力先を指定するためのアドレス値が前記メモリアクセスコマンドよりも１バイト以上少ないコマンド体系を有する入出力ポートアクセスコマンドとを使用可能であり、
前記入出力ポートアクセスコマンドで指定されるアドレス値に基づいて、アクセス先を前記ＲＡＭおよび入出力ポートに切り換え、前記ＲＡＭおよび入出力ポートのいずれかをアクティブにするセレクタ信号を出力するエリア区分判定部と、
前記メモリアクセスコマンドで指定されるアドレス値の上位所定桁に基づいて、アクセス先となる前記ＲＯＭおよびＲＡＭのいずれかをアクティブにするためのメモリセレクト信号を出力するメモリエリアデコード部とを有し、
前記入出力ポートアクセスコマンドに応じて稼働すべき対象を指定する入出力ポートリクエスト信号は、前記ＣＰＵから前記エリア区分判定部に入力されており、
前記メモリアクセスコマンドに応じて稼働すべき対象を指定するメモリリクエスト信号は、前記ＣＰＵから前記メモリエリアデコード部に入力されており、
前記ＲＡＭの先頭アドレスから連続する所定範囲は、前記ＣＰＵが前記ＲＯＭに格納されているコンピュータプログラムに基づく制御処理を実行する際に使用する情報を格納しておくためのワークに割り当てられており、
前記ＲＡＭのうち前記ワーク領域を除く領域には、前記ＣＰＵが前記コンピュータプログラムを実行する際に一時的にデータを格納しておくための可変サイズのスタック領域が、前記スタック領域と前記ワーク領域との間に設けた隔離領域の存在によって、前記ワーク領域と干渉しないように割り当てられており、
前記ＲＡＭのうち前記エリア区分判定部を介してアクセス可能な疑似ＲＡＭ領域は、前記スタック領域よりもアドレスが小さい側に、該スタック領域の少なくとも一部を避けるようにして設定されており、
前記隔離領域に対応するアドレスについては、前記エリア区分判定部が、前記ＲＡＭをアクティブにするためのセレクタ信号の出力を規制するとともに、前記メモリエリアデコード部が、前記ＲＡＭをアクティブにするためのメモリセレクト信号の出力を規制することにより、前記隔離領域をデータ書き込みが不能な領域とする
遊技機。
【請求項２】
請求項１記載の遊技機であって、
前記スタック領域は、データを格納するたびに、アドレスが小さくなる側に領域が拡張するよう構成されており、
前記スタック領域は、前記ＲＡＭの終端アドレスを開始点として設定されている遊技機。
【請求項３】
請求項１または２記載の遊技機であって、
前記疑似ＲＡＭ領域は、前記ＲＡＭの先頭アドレスを含む連続領域である遊技機。
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄を変動表示可能な少なくとも第１の可変表示領域及び第２の可変表示領域を含む複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、１ゲームの結果として前記複数の可変表示領域のそれぞれに導出された前記表示結果のうち所定の入賞ライン上の図柄の組み合わせに応じて入賞が発生可能とされたスロットマシンであって、
遊技の制御を行う遊技制御手段と、
前記遊技制御手段から送信された制御情報に基づいて演出の制御を行う演出制御手段と、
前記複数の可変表示領域の表示結果を導出させる際に操作される導出操作手段と、
を備え、
前記遊技制御手段は、
少なくともいずれか１つの可変表示領域の表示結果が導出される前に複数種類の入賞について発生を許容するか否かを決定する事前決定手段と、
前記導出操作手段が操作されたときに、該導出操作手段に対応する可変表示領域の表示結果を導出させる制御を行う導出制御手段と、
を含み、
前記事前決定手段の決定結果に対応した入賞を発生させるための図柄の組み合わせは、前記導出操作手段が操作されたタイミングに関わらず前記所定の入賞ライン上に導出される第１の組み合わせと、前記導出操作手段が所定条件を満たすタイミングで操作されたことを条件に前記所定の入賞ライン上に導出される第２の組み合わせと、を含み、
前記導出制御手段は、
前記事前決定手段の決定結果が前記第１の組み合わせに対応する第１の入賞の発生を許容する旨及び前記第２の組み合わせに対応する第２の入賞音発生を許容する旨を同時に決定する特定結果となった場合に、未だ前記複数の可変表示領域のいずれにも表示結果が導出されていない状態で最初に特定の可変表示領域に対応する導出操作手段が操作された場合には、前記第１の組み合わせを構成する図柄を前記所定の入賞ライン上に導出させる一方、未だ前記可変表示領域のいずれにも表示結果が導出されていない状態で最初に前記特定の可変表示領域以外の可変表示領域に対応する導出操作手段が操作された場合には、前記第２の組み合わせを構成する図柄を前記所定の入賞ライン上に導出させる
ことを特徴とするスロットマシン。
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンであって、
遊技を進行させる際に操作される操作手段と、
前記操作手段の操作を受け付ける操作受付手段と、
所定の有効期間において前記操作手段の操作が受け付けられたことに応じて遊技を進行させる制御を行うとともに、少なくとも該遊技の進行に基づく制御情報を送信する遊技制御手段と、
受信した前記制御情報に基づいて演出の制御を行う演出制御手段と、
前記遊技制御手段は、前記操作手段の操作状態を示す操作制御情報を前記制御情報として前記演出制御手段に対して送信する操作制御情報送信手段を含み、
前記演出制御手段は、
前記操作制御情報を第１の時期に受信した後、予め定められた期間にわたり該第１の時期に受信した操作制御情報が示す前記操作手段の操作状態と異なる操作状態を示す前記操作制御情報を受信しない場合に前記第１の時期に受信した操作制御情報が示す前記操作手段の操作状態を第１の確定検出状態とし、該第１の時期よりも前の第２の時期に操作制御情報を受信した後、前記予め定められた期間にわたり該第２の時期に受信した操作制御情報が示す前記操作手段の操作状態と異なる操作状態を示す前記操作制御情報を受信しない場合に前記第２の時期に受信した操作制御情報が示す前記操作手段の操作状態を第２の確定検出状態とし、前記第１の確定検出状態が示す操作状態を前記第２の確定検出状態が示す操作状態と比較して変化している場合に、前記操作手段の操作状態の変化を判定する操作状態変化判定手段と、
前記所定の有効期間以外の期間であって特定条件を満たしたときに、前記操作状態変化判定手段の判定結果に応じて演出を実行する演出実行制御手段と、
を含む
ことを特徴とするスロットマシン。
【手続補正書】
【提出日】平成25年8月21日(2013.8.21)
【手続補正１】
【補正対象書類名】明細書
【補正対象項目名】００４９
【補正方法】変更
【補正の内容】
【００４９】
【数１】
2012250569.tif 000001
【手続補正２】
【補正対象書類名】明細書
【補正対象項目名】０２３０
【補正方法】変更
【補正の内容】
【０２３０】
の固有値と同じであるので、式（２８）のオブザーバゲインの設計問題は、下式（２９）のフィードバックゲインの設計問題と等しい。
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
実生時期を経過後に、植物体に、線量率０．０４〜０．４Ｇｙ／日、総線量０．５〜１０．０Ｇｙでγ線を照射する工程を含む、マメ科植物の栽培方法。
【請求項２】
前記γ線を、線量率０．０４〜０．３Ｇｙ／日で照射する、請求項１に記載の方法。
【請求項３】
前記γ線を、線量率０．１〜０．３Ｇｙ／日で照射する、請求項１に記載の方法。
【請求項４】
前記γ線を、線量率０．０５〜０．０８Ｇｙ／日で照射する、請求項１に記載の方法。
【請求項５】
前記γ線の総線量を、０．８〜６．０Ｇｙ程度とする、請求項１から４の何れか１項に記載の方法。
【請求項６】
前記γ線の総線量を、１．０〜２．０Ｇｙ程度とする、請求項１から４の何れか１項に記載の方法。
【請求項７】
前記マメ科植物がダイズ属の植物である、請求項１から６の何れか１項に記載の方法。
【請求項８】
前記γ線の照射を、開花前に開始する、請求項１から７の何れか１項に記載の方法。
【請求項９】
前記γ線の照射を、蕾が形成される前に開始する、請求項１から７の何れか１項に記載の方法。
【請求項１０】
前記γ線の照射を、花芽形成の数日前後以内に開始する、請求項１から７の何れか１項に記載の方法。
【請求項１１】
前記γ線の照射を、少なくとも、莢が形成されるまで行う、請求項１から１０の何れか１項に記載の方法。
【請求項１２】
前記γ線の照射を、少なくとも、莢が充実するまで行う、請求項１から１０の何れか１項に記載の方法。
【請求項１３】
請求項１から１２に記載の方法で栽培されたマメ科植物。
【請求項１４】
請求項１３に記載のマメ科植物から得られる種子。
【請求項１５】
請求項１４に記載の種子、又はその破砕物若しくは抽出物を含む、食品、動物用飼料、医薬品、化粧品、又はこれら製品のための原料、或いはバイオマスエネルギー資源。
【請求項１６】
請求項１４に記載の種子、又はその破砕物若しくは抽出物の、食品、動物用飼料、医薬、化粧品又はこれら製品のための原料を製造するための、アスコルビン酸、シスチン、ピルビン酸、システイン、ニコチン酸、ＮＡＤＨ、乳酸、グルタミン酸及び芳香族アミノ酸からなる群から選択される少なくとも１種の物質の供給源としての使用。
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
一方の平板がこれの上に配置された他方の被支持板よりも強度の高い支持板である少なくとも２枚の平板を回転フィーダ部によって回転される接合要素を介して接合して、該接合要素がカラーによって前記被支持板を支持板に対して押圧するとともに、シャフト部を介して前記支持板と摩擦溶接接合を形成する装置において、
前記回転フィーダ部が、該回転フィーダ部によって加えられる軸方向の力と各送り距離とを測定して、前記接合要素のシャフト部を下げると引き起こされる押圧力の上昇を示す信号を送り、前記回転フィーダ部を前進させる測定器を備えているとともに、
前記回転フィーダ部の送り動作が、前記被支持板を貫通するように調整する第１の段階と、前記シャフト部と支持板との摩擦溶接を調整する第２の段階と、前記接合要素の軸方向の力を前記支持板に対して増加させる第３の段階の少なくとも３つの連続した接合段階によって調整されて摩擦溶接プロセスを完了させることを特徴とする装置。
【請求項２】
前記回転フィーダ部が、前記接合要素の前記シャフト部が前記被支持板に接触すると自動的に回転することを特徴とする請求項１記載の装置。
【請求項３】
前記回転フィーダ部が、前記第１の段階と第２の段階との間の中間段階において、前記第１の段階とは異なる回転速度及び異なる軸方向の力で回転することを特徴とする請求項１または請求項２記載の装置。
【請求項４】
前記回転フィーダ部が、前記第１の段階において、前記回転フィーダ部の回転速度及び軸方向の力によって前記被支持板の厚さに対応するように調整されて、
前記回転速度及び軸方向の力を設定する際に、前記被支持板の材料が、前記接合要素の領域で流動するように設定されていることを特徴とする請求項１乃至請求項３のいずれか１項に記載の装置。
【請求項５】
前記回転フィーダ部が、前記第２の段階において、前記第１の段階よりも低い回転速度及び高い軸方向の力で回転していることを特徴とする請求項１乃至請求項４のいずれか１項に記載の装置。
【請求項６】
前記回転フィーダ部の回転が、前記第３の段階において、ゼロに調整されて、
前記回転フィーダ部が、前記接合要素に押圧力を加えることにより、前記支持板に対して押し当てを行っていることを特徴とする請求項１乃至請求項５のいずれか１項に記載の装置。
【請求項７】
前記支持板が、鋼で製造されていることを特徴とする請求項１乃至請求項６のいずれか１項に記載の装置。
【請求項８】
前記接合要素が、鋼で製造されていることを特徴とする請求項１乃至請求項７のいずれか１項に記載の装置。
【請求項９】
前記接合要素が、アルミニウムで製造されていることを特徴とする請求項１乃至請求項７のいずれか１項に記載の装置。
【請求項１０】
前記被支持板が、軽金属で製造されていることを特徴とする請求項１乃至請求項９記載の装置。
【請求項１１】
前記少なくとも２枚の平板及び前記接合要素が、プラスチックで製造されていることを特徴とする請求項１乃至請求項６のいずれか１項に記載の装置。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
水平平坦折り畳み式フィルタ式顔面装着呼吸マスクであって、
（ａ）ハーネスと、
（ｂ）前面と、第１の周辺部と、縦軸とを有するマスク本体と、
（ｃ）前記マスク本体の中央で、前記マスク本体の前記第１の周辺部に隣接して固定されるノーズクリップと、
（ｄ）前記第１の周辺部及び前記マスク本体の前記縦軸にある前記ノーズクリップに隣接し、前記マスク本体の前記前面上のみで可視であるしるしと、
を含む、水平平坦折り畳み式フィルタ式顔面装着呼吸マスク。
【請求項２】
前記しるしが、前記ノーズクリップの対称性の前記縦軸を示す、請求項１に記載の平坦折り畳み式フィルタ式顔面装着呼吸マスク。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
複合サイクル発電システムにおいて蒸気タービン（２０）を作動させるための制御システムであって、該制御システムが、
前記蒸気タービンに動力供給するのを可能にする第１の量の蒸気を、第１の燃焼タービンと流れ連通状態で結合された第１の蒸気発生器（３２）から該蒸気タービンに送り、
前記第２の燃焼タービンと流れ連通状態で、前記蒸気タービンに結合された第２の蒸気発生器内で第２の量の蒸気を発生させ、
前記第２の量の蒸気が前記第２の蒸気発生器から前記蒸気タービンに送り込まれた場合における該蒸気タービン内の予測応力レベルを計算し、
前記第２の量の蒸気を前記蒸気タービンに送り込む開始時間を、前記計算予測応力レベルが該蒸気タービンの所定の応力限界値を越えることがないように決定し、かつ
前記決定開始時間に前記第２の蒸気発生器から前記蒸気タービンに前記第２の量の蒸気を自動的に送る、ようにプログラムされている、
制御システム。
【請求項２】
複数の蒸気タービン構成要素の温度を測定し、
前記複数の蒸気タービン構成要素の現在の応力変化速度を計算し、かつ
前記第２の量の蒸気が前記第２の蒸気発生器から前記蒸気タービンに送り込まれた場合における前記複数の蒸気タービン構成要素の予測応力変化速度を計算する、ようにさらにプログラムされている、
請求項１に記載の制御システム。
【請求項３】
少なくとも１つの遮断弁及び少なくとも１つのバイパス弁の少なくとも１つを、第２の蒸気圧を第１の蒸気圧の所定の範囲内に維持するのを可能にするように制御するようにさらにプログラムされている、請求項１に記載の制御システム。
【請求項４】
第１及び第２の蒸気流の化学組成を測定し、かつ
前記第２の蒸気流の化学組成を前記第１の蒸気流の化学組成と比較して、該第２の蒸気流及び第１の蒸気流の混合物の化学組成が前記蒸気タービン（２０）の所定の作動パラメータの範囲内にあるかどうかを判定する、ようにさらにプログラムされている、
請求項１に記載の制御システム。
【請求項５】
前記計算予測応力レベルが前記蒸気タービン（２０）の所定の応力限界値を越えるのを防止するのを可能にするバイパス弁閉鎖速度を計算するようにさらにプログラムされている、請求項１に記載の制御システム。
【請求項６】
少なくとも１つの遮断弁（６２、６８、７２、８０、１６２、１６８、１７２、１８０）を前記決定開始時間に開放して、前記第２の量の蒸気を前記蒸気タービンに送り込むのを可能にし、かつ
少なくとも１つのバイパス弁（６４、７４、８２、１６４、１７４、１８２）をバイパス弁閉鎖速度で閉鎖して、前記蒸気タービンに送られる前記第２の量の蒸気を増加させるのを可能にする、ようにさらにプログラムされている、
請求項１に記載の制御システム。
【請求項７】
予測応力レベルを計算し、かつ
モデル予測制御を使用して前記開始時間を決定する、ようにさらにプログラムされている、請求項１に記載の制御システム。
【請求項８】
蒸気タービン（２０）と、
前記蒸気タービンと流れ連通状態で結合された第１の蒸気発生器（１８）と流れ連通状態で結合された第１の燃焼タービン（３８）と、
前記蒸気タービンと流れ連通状態で結合された第２の蒸気発生器（１１８）と流れ連通状態で結合された第２の燃焼タービン（１３８）と、
前記第１の蒸気発生器、第２の蒸気発生器及び蒸気タービンの少なくとも１つに相互通信状態で結合された制御装置（８４）と、
を含み、前記制御装置が、
前記蒸気タービンに動力供給するのを可能にする第１の量の蒸気を前記第１の蒸気発生器から該蒸気タービンに送り、
前記蒸気タービンと流れ連通状態で結合された前記第２の蒸気発生器内で第２の量の蒸気を発生させ、
前記第２の量の蒸気が前記第２の蒸気発生器から前記蒸気タービンに送り込まれた場合における該蒸気タービン内の予測応力レベルを計算し、
前記第２の量の蒸気を前記蒸気タービンに送り込む開始時間を、前記計算予測応力レベルが該蒸気タービンの所定の応力限界値を越えることがないように決定し、かつ
前記決定開始時間に前記第２の蒸気発生器から前記蒸気タービンに前記第２の量の蒸気を自動的に送る、ようにプログラムされている、
複合サイクル発電システム（１０）。
【請求項９】
前記制御装置（８４）が、前記計算予測応力レベルが前記蒸気タービン（２０）の所定の応力限界値を越えるのを防止するのを可能にするバイパス弁（６４、７４、８２、１６４、１７４、１８２）閉鎖速度を計算するようにさらにプログラムされている、請求項８に記載の複合サイクル発電システム（１０）。
【請求項１０】
前記制御装置（８４）が、
第１及び第２の蒸気流の化学組成を測定し、かつ
前記第２の蒸気流の化学組成を前記第１の蒸気流の化学組成と比較して、該第２の蒸気流及び第１の蒸気流の混合物の化学組成が前記蒸気タービン（２０）の所定の作動パラメータの範囲内にあるかどうかを判定する、ようにさらにプログラムされている、
請求項８に記載の複合サイクル発電システム（１０）。
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
第１表示部を設けた第１筺体と、第２表示部とを備えた第２筺体とにより構成された携帯端末装置であって、
自機のバッテリー残量を検出する残量検出部と、
前記残量検出部により検出されたバッテリー残量が第１の値より大きいか否かを判定する判定部と、
前記第１筺体に対する前記第２筺体の相対位置が、前記第１表示部は視認可能であって前記第２表示部が前記第１筐体にて覆われる位置にあるか否かを検出する位置検出部と、
前記第１表示部の明るさ及び前記第２表示部の明るさを設定する設定手段と、を備え、
前記設定部は、前記残量検出部において検出されたバッテリーの残量が第１の値より小さい場合において、自機が前記位置にあるときは第１の明るさにて前記第１表示部の明るさを設定し、自機が前記位置に無いときは、第１の明るさより暗い第２の明るさにて前記第１表示部及び前記第２表示部の明るさを設定すること、
を特徴とする携帯端末装置。